(57)【要約】【目的】、録画した番組のジャンルにより、保存しておく期間若しくは再生可能な回数を定め、定められた期間が経過した段階、若しくは規定回数再生した段階で自動的に消去することにより、蓄積手段の容量が不足することを解決することができる受信装置を提供すること。【構成】放送された番組を受信する受信手段と、該受信手段により受信されたデータを記録する記録手段と、該記録手段に記録された番組データを再生する再生手段と、操作者が録画予約するためのユーザーインターフェース手段と、データの保存期間を管理し、番組ジャンルにより定められた期限を過ぎたデータを自動的に消去する制御手段とを含んで受信装置を構成する。【選択図】      図１
2004247934.tif 000002
【特許請求の範囲】
【請求項１】
放送された番組を受信する受信手段と、該受信手段により受信されたデータを記録する記録手段と、該記録手段に記録された番組データを再生する再生手段と、操作者が録画予約するためのユーザーインターフェース手段と、データの保存期間を管理し、番組ジャンルにより定められた期限を過ぎたデータを自動的に消去する制御手段とを有することを特徴とする受信装置。
【請求項２】
前記番組ジャンルを、放送データにマルチプレックスされてくるイベント情報テーブルのイベントループに記載されるコンテント記述子から得ることを特徴とする請求項１記載の受信装置。
【請求項３】
前記番組ジャンルにより定められた保存期間は、情報の新しさが重要であるニュース等は短く、普遍的な内容の映画等は長く設定されることを特徴とする請求項１記載の受信装置。
【請求項４】
前記記録手段に記録された番組データの有効期限の確認及び消去は随時行われることを特徴とする請求項１記載の受信装置。
【請求項５】
放送された番組を受信する受信手段と、該受信手段により受信されたデータを記録する記録手段と、該記録手段に記録された番組データを再生する再生手段と、操作者が録画予約すると共に、期限が過ぎていないデータを手動で消去する際に必要なパスワードを設定するためのユーザーインターフェース手段と、データの保存期間を管理し、ジャンルにより定められた期限を過ぎたデータを自動的に消去すると共に、他の操作者が期限の過ぎていないデータを誤消去しないように、操作者の個人認証制御を行う制御手段とを有することを特徴とする受信装置。
【請求項６】
前記番組ジャンルを、放送データにマルチプレックスされてくるイベント情報テーブルのイベントループに記載されるコンテント記述子から得ることを特徴とする請求項５記載の受信装置。
【請求項７】
前記番組ジャンルにより定められた保存期間は、情報の新しさが重要であるニュース等は短く、普遍的な内容の映画等は長く設定されることを特徴とする請求項５記載の受信装置。
【請求項８】
前記記録手段に記録された番組データの有効期限の確認及び消去は随時行われることを特徴とする請求項５記載の受信装置。
【請求項９】
操作者の個人認証が、操作者が録画設定時に設定したパスワードを、消去時に要求することによりなされることを特徴とする請求項５記載の受信装置。
【請求項１０】
操作者の個人認証が、録画設定時に使用したリモコンと消去時に使用されるリモコンとが同一であることを確認することによりなされることを特徴とする請求項５記載の受信装置。
【請求項１１】
放送された番組を受信する受信手段と、該受信手段により受信されたデータを記録する記録手段と、該記録手段に記録された番組データを再生する再生手段と、操作者が録画予約するためのユーザーインターフェース手段と、ジャンルにより定められた回数再生されたデータを自動的に消去する制御手段とを有することを特徴とする受信装置。
【請求項１２】
前記番組ジャンルを、放送データにマルチプレックスされてくるイベント情報テーブルのイベントループに記載されるコンテント記述子から得ることを特徴とする請求項１１記載の受信装置。
【請求項１３】
前記番組ジャンルにより定められた保存期間は、情報の新しさが重要であるニュース等は短く、普遍的な内容の映画等は長く設定されることを特徴とする請求項１１記載の受信装置。
【請求項１４】
前記記録手段に記録された番組データの再生回数のカウントは、記録された番組データの再生が停止された時点で行われることを特徴とする請求項１１記載の受信装置。
【請求項１５】
前記記録手段に記録された番組データの再生回数のカウントは、記録された番組データの再生が最後までなされた時点で行われることを特徴とする請求項１１記載の受信装置。
【請求項１６】
前記記録手段に記録された番組データの再生回数のカウントが、記録された番組データの再生が停止された時点なされるか、若しくは再生が最後までなされた時点でなされるかを、操作者が選択できることを特徴とする請求項１１記載の受信装置。
【発明の詳細な説明】
【０００１】
【発明の属する技術分野】
本発明は、テレビジョン放送を受信する受信装置に関し、特に、ランダムアクセス可能な蓄積手段を有し、テレビジョン放送番組を、録画、再生可能な受信装置に関する。
【０００２】
【従来の技術】
近年デジタル技術の進展に伴い、テレビジョン放送方式もこれまでのアナログＮＴＳＣ／ＰＡＬ／  ＳＥＣＡＭ  方式からデジタル方式に移行しつつある。例えば、米国、欧州では既に地上波デジタル放送が開始され、日本においても２０００年１２月からＢＳデジタル放送が開始され、２００３年から地上波デジタル放送が開始される予定になっている。
【０００３】
このテレビジョン放送のデジタル化に伴い、受信側の録画方式も、これまでのアナログビデオテープレコーダーから、デジタルビデオテープレコーダー等に移行しつつある。又更に、これまでコンピュータ用の蓄積手段として用いられてきたハードディスクに、テレビジョン放送を録画する方式、装置等が提案、発売されている。
【０００４】
但し、近年ハードディスクが大容量化しているとは言え、２０Ｍｂｐｓクラスのビットレートを有するＨＤ（ハイビジョン）放送を蓄積し続ければ、すぐに容量が底をついてしまう。この問題を解決するための提案としては、例えば特開２００１−１９５８０７には、録画した番組の再生を停止した場合に、この再生した番組を消去するかどうかを操作者に問い合わせ、不要な場合は消去する録画装置が開示されている。
【０００５】
又、現在販売されている製品の中には、操作者が、現在蓄積されているデータのタイトルを一覧を表示し、不要なものを１つ１つ消去していくものがある。
【０００６】
【発明が解決しようとす課題】
しかしながら、上述した再生を停止した時に消去するか問い合わせる方式では、録画したまま忘れてしまった番組については再生されないため、いつまでも蓄積手段にデータが残ってしまう。又、蓄積されているデータを全て一覧表示し、これを１つ１つ消去していく方法では、操作者に煩雑な操作を要求する。
【０００７】
本発明は上記問題に鑑みてなされたもので、その目的とする処は、録画した番組のジャンルにより、保存しておく期間若しくは再生可能な回数を定め、定められた期間が経過した段階、若しくは規定回数再生した段階で自動的に消去することにより、蓄積手段の容量が不足することを解決することができる受信装置を提供することにある。
【０００８】
【課題を解決するための手段】
上記目的を達成するため、本発明は、放送された番組を受信する受信手段と、該受信手段により受信されたデータを記録する記録手段と、該記録手段に記録された番組データを再生する再生手段と、操作者が録画予約するためのユーザーインターフェース手段と、データの保存期間を管理し、番組ジャンルにより定められた期限を過ぎたデータを自動的に消去する制御手段とを含んで通信装置を構成したことを特徴とする。
【０００９】
又、本発明は、放送された番組を受信する受信手段と、該受信手段により受信されたデータを記録する記録手段と、該記録手段に記録された番組データを再生する再生手段と、操作者が録画予約すると共に、期限が過ぎていないデータを手動で消去する際に必要なパスワードを設定するためのユーザーインターフェース手段と、データの保存期間を管理し、ジャンルにより定められた期限を過ぎたデータを自動的に消去すると共に、他の操作者が期限の過ぎていないデータを誤消去しないように、操作者の個人認証制御を行う制御手段とを含んで受信装置を構成したことを特徴とする。
【００１０】
更に、本発明は、放送された番組を受信する受信手段と、該受信手段により受信されたデータを記録する記録手段と、該記録手段に記録された番組データを再生する再生手段と、操作者が録画予約するためのユーザーインターフェース手段と、ジャンルにより定められた回数再生されたデータを自動的に消去する制御手段とを含んで通信装置を構成したことを特徴とする。
【００１１】
【発明の実施の形態】
以下に本発明の実施の形態を添付図面に基づいて説明する。
【００１２】
＜実施の形態１＞
以下において図中の実線はデータ線、破線は制御線を表すものとする。
【００１３】
図１は本発明の実施の形態１に係る受信装置の構成例を示すブロック図である。
【００１４】
該ブロックは、受信手段１．  １、記録手段１．  ２、再生手段１．  ３、ユーザーインターフェース手段１．  ４、制御手段１．５から構成される。
【００１５】
続いて各ブロックについて詳細に説明する。
【００１６】
［受信手段］
先ず、通常のテレビジョン番組放送を受信する受信手段１．  １について図３のブロック図を用いて説明する。
【００１７】
図３は本発明に係る受信手段１．  １の構成例を示す。該ブロックはチューナー手段３．１、フロントエンド手段３．２、ＣＡ手段３．３、デマルチプレクサ手段３．４から構成される。
【００１８】
アンテナにより受信された信号はチューナー手段３．  １により選局、直交検波され、フロントエンド手段３．  ２に入力される。該フロントエンド手段３．  ２は、復調部、エラー訂正部（図示せず）により構成され、アンテナから出力されたＲＦ信号を復調し、例えば８ＰＳＫ復調された後、エラー検出され、必要に応じて補正され、ＣＡ手段３．  ３に導かれる。
【００１９】
ＣＡ手段３．  ３は、詳しくはＩＣカードのＣＡＭ（Ｃｏｎｄｉｔｉｏｎａｌ  Ａｃｃｅｓｓ  Ｍｏｄｕｌｅ）  、及びカードリーダー、デスクランブラにより構成される。ＣＡＭ内には暗号を解読するのに必要なキーが解読プログラムと共に格納されるとともに、課金情報等も格納される。放送局側で暗号化（スクランブル）された信号が送られてきた場合、このＣＡＭ内のマスターキーを用いて放送波にスクランブルされている暗号化されたワークキーを解き、このワークキーを用いてスクランブルキーの暗号を解き、このスクランブルキーを用いてＴＳ（Ｔｒａｎｓｐｏｒｔ  Ｓｔｒｅａｍ）ペイロードのデスクランブルを行う。
【００２０】
尚、暗号化されているかどうかの判定はＴＳパケットヘッダのスクランブル制御フラグ、アダプテーションフィールドコントロールを参照することにより行う。該ＣＡ手段３．３でデスクランブルされた信号は、デマルチプレクサ手段３．  ４でビデオ信号と、オーディオ信号、ＳＩ（番組配列）情報等に分離され、記録手段１．  ２に記録される。これら分離されたＳＩ情報、各種ＰＳＩ（  番組特定）セクションは、ＥＰＧ（電子プログラムガイド）を構成するために必要な情報であり、図５に各ＰＩＤ（パケット識別子）で指定される各種ＰＳＩセクションを示す。
【００２１】
［再生手段］
続いて再生手段１．３について図４のブロック図を用いて説明する。
【００２２】
図４は本発明に係る再生手段１．３の構成例を示す。該ブロックは、バッファ手段４．１、可変長復号化手段４．２、逆量子化手段４．３、画像処理手段４．４、エッジ検出手段４．５、逆ＤＣＴ手段４．６、動き補償予測手段４．７、ビデオメモリ手段４．８、フォーマット変換手段４．９から構成される。
【００２３】
可変長復号化手段４．２ではバッファ手段４．１でバッファリングされた符号化データを読み出し、マクロブロック符号化情報が復号され、符号化モード、動きベクトル、量子化情報及び量子化ＤＣＴ係数が分離される。尚、符号器側で行われる可変長符号化は、出現頻度がより高いデータに、より短いコードを割り当てることにより行われ、該可変長復号化ではその逆の処理を行う。
【００２４】
逆量子化手段４．３では、復号された８ｘ８の量子化ＤＣＴ係数を逆量子化してＤＣＴ係数に復元する。尚、量子化は、符号器側で人の視覚特性に応じて定められた量子化テーブルを用いて空間的な情報の圧縮を行うものであり、逆量子化は、その逆の処理を逆量子化テーブルを用いて行う。
【００２５】
逆ＤＣＴ手段４．４は、後述するシステム制御手段４．１２からの制御を受け、ＤＣＴ基底マトリクスを用いて逆ＤＣＴ変換し、ＤＣＴ領域から画素空間領域データに変換する。例えば、８ビット精度の整数値データにオフセット及び丸め込み処理される。上述したようにＤＣＴ及び逆ＤＣＴ演算は実数演算で定義されているが、その間で量子化処理が入るため、逆ＤＣＴ演算結果はＤＣＴ入力値とは必ずしも一致せず、しかも、整数になるとも限らない。そのため、演算結果の小数点以下の値が０．５となる場合、整数化する際に切り上げになる場合と、切り下げになる場合が生じる。このミスマッチは演算精度を以下に高く規定しても解決できないため、その対策として、逆量子化後の係数値を微小に変化させて、誤差を伴わない逆ＤＣＴ演算結果の小数点以下の値が０．５となる確立を減らすことを行う。
【００２６】
動き補償予測手段４．５は、動き補償予測モードの場合に、動き補償予測されたブロックデータ（ｐ［ｙ］［ｘ］  ）を上記逆ＤＣＴ手段４．４からの出力（ｆ［ｙ］［ｘ］）  に加算する。
【００２７】
但し、イントラ符号化モードの場合には、この処理は行われず、従ってｐ［ｙ］［ｘ］  はゼロである。尚、この符号化モードは各マクロブロック単位に決定され、動き補償予測モードは時間的な相関が高い場合に高い符号化効率が期待でき、イントラ符号化モードはシーンの大きな変化等により、時間的な相関が期待できない場合に用いられる。又、ブロックが符号化されない場合、マクロブロック全体がスキップされているか或は特定のブロックが復号化されていないかの何れかの理由により係数データは存在しない。この場合、ｆ［ｙ］［ｘ］  はゼロであり、復号化される画素は、単純に予測ｐ［ｙ］［ｘ］  である。又、ｆ［ｙ］［ｘ］  がゼロとならないよう、飽和処理手段が必要となる。
【００２８】
ビデオメモリ手段４．６は、復号処理で用いる参照画素としてＩピクチャ、Ｐピクチャを保存する。
【００２９】
フォーマット変換４．７は、符号化効率を上げるために復号器側で並べ替えられたＩ（Ｉｎ  ｔｒａ  ｃｏｄｅｄ）ピクチャ、Ｐ（Ｐｒｅｄｉｃｔｉｖｅ  ｃｏｄｅｄ）ピクチャ、Ｂ（Ｂｉｄｉｒｅｃｔｉｏｎａｌｌｙ  ｐｒｅｄｉｃｔｉｖｅｃｏｄｅｄ）ピクチャを元の入力順序へ並べ替えを行う。そして、必要に応じて画像サイズの変換を行い出力する。
【００３０】
［ユーザーインターフェース手段］
ユーザーインターフェース手段１．４は、後述の制御手段１．５からの制御を受け、操作者からのチャンネル選択、録画予約要求等を、リモコン等の操作入力として受け付ける。該受信した操作入力は、制御手段１．５に送られ、制御手段１．５からの制御により所望の処理がなされる。
【００３１】
［制御手段］
先ず、ＥＰＧを用いた通常の番組視聴について説明する。
【００３２】
制御手段１．５は、操作者からＥＰＧ表示要求をユーザーインターフェース手段１．４を介して受けた場合、前記記憶手段１．２に格納されたＳＩ／ＰＳＩ情報を元にＥＰＧ画面を構成して、再生手段１．３から出力されるビデオ信号と切り替えて表示装置（図示せず）に出力せしめる。又、視聴者からチャンネル若しくは番組の選択要求を受けた場合、そのチャンネルを受信するために必要な情報（チャンネル周波数、ＴＳ＿  ＩＤ、ビデオのＰＩＤ，オーディオのＰＩＤ）を受信手段１．１に送る。そして、受信手段１．１で上述したように受信されたビデオ、オーディオ信号を、再生手段１．３を制御して上述のように復号、出力せしめる。
【００３３】
続いて本実施の形態に係る番組録画及びデータ保存期間の制御について図２の概念図と図１０のフロー図を参照しながら説明する。
【００３４】
操作者からの録画要求をユーザーインターフェース手段１．４を介して受けた場合（Ｓ１０．１）、図２に例を示すような録画設定画面を作成して表示する（Ｓ１０．２）。操作者が録画に必要な情報（放送日時、チャンネル等）をリモコン操作等により行うと（Ｓ１０．３）、前記記憶手段１．２に格納されたＳＩ／ＰＳＩ情報を参照して録画する番組の特定、番組名の取得を行い、番組名及び番組のジャンル毎に予め定められた保存期間を表示する（Ｓ１０．４）。図９に番組のジャンル毎に予め定められた有効（保存）期間の例を示す。このジャンル毎の有効期間は、新しさが重要なニュース等は短く、普遍的な内容の映画等を長く設定することが望ましい。尚、番組名、番組のジャンルの取得については後述する。
【００３５】
そして、上記記憶手段１．２に記憶保存されている録画データについて、保存開始時間からの経過時間と有効（保存）期間とを比較し、有効期間を過ぎている録画データがある場合には（Ｓ１０．６）、これを消去する（Ｓ１０．７）。
【００３６】
ここで、上記記憶手段１．２に格納されたＳＩ／ＰＳＩ情報から、番組名、番組のジャンルを取得する方法について詳しく説明する。
【００３７】
図５に示した各種ＰＳＩセクションの内、ＰＩＤが０ｘ００１２のＥＩＴ（イベント情報テーブル）に、番組名、放送日時、番組内容、ジャンル等の情報が記載されている。図６にＥＩＴの構造を示す。このＥＩＴのイベントループに挿入される記述子（図６のｄｅｓｃｒｉｐｔｏｒ（））の一覧を図７に示す。番組名は、これら記述子の内、矩形式イベント記述子のｅｖｅｎｔ＿ｎａｍｅ＿ｃｈａｒ  フィールドに、８０ｂｙｔｅ（全角４０文字）以下で記述されている。図１１に矩形式イベント記述子の構造を示す。
【００３８】
又、図７に示したコンテント記述子のｃｏｎｔｅｎｔ＿ｎｉｂｂｌｅ＿ｌｅｖｅｌ＿１，  ｃｏｎｔｅｎｔ＿ｎｉｂｂｌｅ＿ｌｅｖｅｌ＿  ２  の各フィールドに、それぞれ番組のジャンル大分類、中分類が記述されている。従って、これらｃｏｎｔｅｎｔ＿ｎｉｂｂｌｅ＿ｌｅｖｅｌ＿１，  ｃｏｎｔｅｎｔ＿ｎｉｂｂｌｅ＿ｌｅｖｅｌ＿２の各フィールドから番組のジャンルを取得できる。図８にコンテント記述子の構造を、図９にｃｏｎｔｅｎｔ＿ｎｉｂｂｌｅ＿ｌｅｖｅｌ＿１，  ｃｏｎｔｅｎｔ＿ｎｉｂｂｌｅ＿ｌｅｖｅｌ＿２の各フィールドにより特定される番組のジャンル一覧を示す。
【００３９】
＜実施の形態２＞
次に、本発明の実施の形態２について説明する。
【００４０】
本実施の形態では、記憶手段１．２に格納された番組データの格納有効期限が過ぎる前に、録画した本人以外の操作者が番組データを消去できないように、パスワード等による個人認証チェックを行う。
【００４１】
以下、図面を参照して本実施の形態について説明する。
【００４２】
本実施の形態に係る受信装置の構成例は、実施の形態１と同様に図１で示される。ここで、制御手段１．５以外は実施の形態１と同様であるため説明を省略する。
【００４３】
［制御手段］
ＥＰＧを用いた通常の番組視聴、ＳＩ／ＰＳＩ情報の取得については実施の形態１と同様であるため説明を省略する。
【００４４】
続いて本実施の形態に係る番組録画及びデータ保存期間の制御について図１２、図１４の概念図及び図１３のフロー図を参照しながら説明する。
【００４５】
操作者からの録画要求をユーザーインターフェース手段１．４を介して受けた場合（Ｓ１３．１）、図１２に例を示すような録画設定画面を作成して表示する（Ｓ１３．２）。操作者が録画に必要な情報（放送日時、チャンネル等）をリモコン操作等により行うと（Ｓ１３．３）、記憶手段１．２に格納されたＳＩ／ＰＳＩ情報を参照して録画する番組の特定、番組名の取得を行い、番組名及び番組のジャンル毎に予め定められた保存期間を表示する（Ｓ１３．４）。
【００４６】
そして、記憶手段１．２に記憶保存されている録画データについて、保存開始時間からの経過時間と有効（保存）期間とを比較し、有効期間を過ぎている録画データがある場合には（Ｓ１３．６）、これを消去する（Ｓ１３．７）。
【００４７】
又、操作者から、記憶手段１．２に格納されている番組の消去要求若しくは一覧表示要求あると、図１４に例を示すような記憶中番組一覧を表示し、操作者はこの一覧の中から有効期限が切れる前のものであっても選択して消去できる（Ｓ１３．８）。図１４の例では２つの番組の内、２つ目の番組が選択されており、ここで消去の操作を操作者が行うと、図１５に例を示すようなパスワード入力画面を表示して操作者にパスワードを入力させる。
【００４８】
但し、このパスワードは操作者１人１人に固有のものであり、録画時に番組毎に設定するため、例えば家族４人がそれぞれ該受信装置を共有してそれぞれの録画番組が混在していても誤って消去されることがない。
【００４９】
そして、操作者が入力したパスワードが正しい場合（Ｓ１３．９）、消去選択された番組は消去される（Ｓ１３．０）。
【００５０】
又、個人の認証は、パスワードによるチェックの代わりに、家族個人個人が専用リモコン（マイリモコン）を持ち、録画要求及び消去要求されたリモコンが同一であるかどうかのチェックを行う方式であっても良い。
【００５１】
＜実施の形態３＞
次に、本発明の実施の形態３について説明する。
【００５２】
本実施の形態では、記憶手段１．２に格納された番組データが、ジャンル毎に定められた規定回数再生されると自動消去される。
【００５３】
以下、図面を参照して本実施の形態について説明する。
【００５４】
本実施の形態に係る受信装置の構成例は、実施の形態１と同様に図１で示される。ここで、制御手段１．５以外は実施の形態１と同様であるため説明を省略する。
【００５５】
［制御手段］
ＥＰＧを用いた通常の番組視聴、ＳＩ／ＰＳＩ情報の取得については、本発明の実施の形態１と同様であるため説明を省略する。
【００５６】
続いて本実施の形態に係る番組録画及びデータ保存期間の制御について図１４、図１６の概念図、図１７のフロー図及び図１８の一覧を参照しながら説明する。
【００５７】
操作者からの録画要求をユーザーインターフェース手段１．４を介して受けた場合（Ｓ１７．１）、図１６に例を示すような録画設定画面を作成して表示する（Ｓ１７．２）。操作者が録画に必要な情報（放送日時、チャンネル等）をリモコン操作等により行うと（Ｓ１７．３）、記憶手段１．２に格納されたＳＩ／ＰＳＩ情報を参照して録画する番組の特定、番組名の取得を行い、番組名及び番組のジャンル毎に予め定められた再生可能回数を表示する（Ｓ１７．４）。この再生可能回数は、情報の新しさが重要であるニュース等は少なく、普遍的な内容の映画等は多く設定されることが望ましい。
【００５８】
そして、操作者が、記憶手段１．２に記憶保存されている録画データを、図１９に例を示すような一覧から選択して再生する（Ｓ１７．５）。再生後、該録画データが規定回数再生されたか調べ（Ｓ１７．６）、規定回数再生された場合には消去する（Ｓ１７．７）。
【００５９】
但し、再生回数のカウントを再生が停止された段階で行う方法と、最後まで再生された段階で行う方法とがある。これは操作者が再生している番組がつまらないために停止するケースと、時間的な要因で一時再生を停止しなければならないケースとがあるためである。本発明においては、再生回数のカウントを、再生が停止された段階で行っても良いし、最後まで再生された段階で行っても良い。又は、この選択を予め操作者に設定させることにより行っても良い。
【００６０】
【発明の効果】
以上の説明で明らかなように、本発明によれば、複雑な操作を要することなく、ランダムアクセス可能な蓄積手段の容量が不足することなく、番組録画を行える受信装置を提供することが可能となる。
【図面の簡単な説明】
【図１】本発明の実施の形態に係る受信装置の全体構成例を説明するためのブロック図である。
【図２】本発明の実施の形態１に係る録画設定について説明するための概念図である。
【図３】本発明の実施の形態に係る受信手段の構成例を説明するためのブロック図である。
【図４】本発明の実施の形態に係る再生手段の構成例を説明するためのブロック図である。
【図５】ＰＳＩについて説明するための図である。
【図６】ＥＩＴの構造について説明するための図である。
【図７】ＥＩＴのイベントループい配置される記述子について説明するための図である。
【図８】ＥＩＴのコンテント記述子について説明するための図である。
【図９】本発明の実施の形態１，２に係る番組のジャンル毎に規定された有効期限について説明するための図である。
【図１０】本発明の実施の形態１における制御手段について説明するためのフロー図である。
【図１１】ＥＩＴの矩形式イベント記述子について説明するための図である。
【図１２】本発明の実施の形態２に係る録画設定について説明するための概念図である。
【図１３】本発明の実施の形態２における制御手段について説明するためのフロー図である。
【図１４】本発明の実施の形態２に係る記憶中の番組一覧表示について説明するための概念図である。
【図１５】本発明の実施の形態２に係るパスワード入力について説明するための概念図である。
【図１６】本発明の実施の形態３に係る録画設定について説明するための概念図である。
【図１７】本発明の実施の形態３における制御手段について説明するためのフロー図である。
【図１８】本発明の実施の形態３に係る番組のジャンル毎に規定された再生可能回数にて説明するための図である。
【図１９】本発明の実施の形態３に係る記憶中の番組一覧表示について説明するための概念図である。
【符号の説明】
１．１    受信手段
１．２    記録手段
１．３    再生手段
１．４    ユーザーインターフェース手段
１．５    制御手段
３．１    チューナー手段
３．２    フロントエンド手段
３．３    ＣＡ手段
３．４    デマルチプレックス手段
４．１    バッファ装置
４．２    可変長符号化手段
４．３    逆量子化手段
４．４    逆ＤＣＴ手段
４．５    動き補償予測手段
４．６    ビデオメモリ手段
４．７    フォーマット変換手段
【図１】
2004247934.tif 000003
【図２】
2004247934.tif 000004
【図３】
2004247934.tif 000005
【図４】
2004247934.tif 000006
【図５】
2004247934.tif 000007
【図６】
2004247934.tif 000008
【図７】
2004247934.tif 000009
【図８】
2004247934.tif 000010
【図９】
2004247934.tif 000011
【図１０】
2004247934.tif 000012
【図１１】
2004247934.tif 000013
【図１２】
2004247934.tif 000014
【図１３】
2004247934.tif 000015
【図１４】
2004247934.tif 000016
【図１５】
2004247934.tif 000017
【図１６】
2004247934.tif 000018
【図１７】
2004247934.tif 000019
【図１８】
2004247934.tif 000020
【図１９】
2004247934.tif 000021